(57)【特許請求の範囲】
【請求項１】
ガスメータのガス流路内に設けられた遮断弁と、前記ガスメータ内に設けられ、前記遮断弁の駆動機能、前記ガス流量に応動する磁石の移動を検出する流量検出手段、及び複数の切欠を設けたプリント配線板を有した制御基板と、前記プリント配線板の切欠に係合する爪をもつ制御基板固定器と、前記制御基板を取付けた制御基板固定器を前記ガスメータ内に固定するネジとを具備し、この制御基板固定器には、さらに、プリント配線板に設けた凹部に係合するリブを形成したガス遮断装置。
【発明の詳細な説明】
【０００１】
【発明の属する技術分野】
本発明は、ガスメータ以後のガス使用時にガス使用上の安全を図るガス遮断装置に関するものである。
【０００２】
【従来の技術】
図５（ａ）に従来のガス遮断装置の構成図、図５（ｂ）にその正面図を示す。
【０００３】
従来、この種のガス遮断装置は、プリント配線板１に複数の爪用切欠２を設け、且つガス流量に応じて移動する磁石３を検出するリードスイッチ４を用いた流量検出部を有する制御基板５と、制御基板５をガスメータ内に固定するためのプリント配線板１に設けられた爪用切欠２を利用して取り付けを支持する爪６を設けた制御基板固定器７と、制御基板固定器７に設けたガスメータ取付け用ネジ穴８を利用して、制御基板５を固定した制御基板固定器７をガスメータ内に固定するネジ９で構成されていた。
【０００４】
【発明が解決しようとする課題】
しかし、図５（ａ）のような従来のガス遮断装置は、制御基板固定器７に制御基板５を固定し、ガスメータに組込んだ状態で、転倒・落下による衝撃で、図６（ａ）に示す矢印Ｂ方向に前記制御基板５にねじれが生じた場合、図６（ｂ）のように制御基板固定器７に設けられた爪６が制御基板５からの力がかかることでたわみ、このたわみにより対面する爪６からプリント配線板１に設けられた爪用切欠２が外れ、制御基板固定器７から制御基板５が外れる恐れがある。
【０００５】
制御基板５が制御基板固定器７から外れることにより、図７のように制御基板５に設けられた流量検出部であるリードスイッチ４が所定の位置から離れ、ガスメータに設けられたガス流量に応じて移動する磁石３とリードスイッチ４との距離Ａが大きくなるため、ガス流量を正確に計測できない。
【０００６】
したがってガス流量の検出が正確にできないためガス使用上の安全性を確保できないことが問題であった。
【０００７】
また、制御基板固定器７の爪６の数を増加し、爪６の強度を上げることで制御基板５が制御基板固定器７からの外れを防止できるが、制御基板５に制御基板前記固定器７に取付ける際、作業性が悪化することも問題であった。
【０００８】
本発明は、上記従来の問題点を解決したもので、確実に制御基板をガスメータに固定する機能を備えたガス遮断装置を提供することを目的とする。
【０００９】
【課題を解決するための手段】
上記課題を解決するために、本発明のガス遮断装置は、ガスメータのガス流路内に設けられた遮断弁と、前記ガスメータ内に設けられ、前記遮断弁の駆動機能、前記ガス流量に応動する磁石の移動を検出する流量検出手段、及び複数の切欠を設けたプリント配線板を有した制御基板と、前記プリント配線板の切欠に係合する爪をもつ制御基板固定器と、前記制御基板を取付けた制御基板固定器を前記ガスメータ内に固定するネジとを具備し、この制御基板固定器には、さらに、プリント配線板に設けた凹部に係合するリブを形成したものである。
【００１０】
したがって、ガスメータの転倒・落下による衝撃で制御基板が制御基板固定器から外れることを防止することができる。
【００１１】
【発明の実施の形態】
本発明のガス遮断装置は、ガスメータのガス流路内に設けられた遮断弁と、前記ガスメータ内に設けられ、前記遮断弁の駆動機能、前記ガス流量に応動する磁石の移動を検出する流量検出手段、及び複数の切欠を設けたプリント配線板を有した制御基板と、前記プリント配線板の切欠に係合する爪をもつ制御基板固定器と、前記制御基板を取付けた制御基板固定器を前記ガスメータ内に固定するネジとを具備し、この制御基板固定器には、さらに、プリント配線板に設けた凹部に係合するリブを形成したものである。
【００１２】
したがって、凹部とリブの係合によって、切欠から爪が不用意に外れることがなく、制御基板と制御基板固定器との一体化を常時良好に維持することができるものである。
【００１３】
実施例を述べる前に参考実施例について説明する。
【００１４】
【参考実施例】
（参考実施例１）
図１において、ガスメータ１０はガス流量に応じて移動する磁石３と、ガスを流す流路１１に設けられた遮断弁１２と、磁石３の移動を検出する流量検出部のリードスイッチ４を有する制御基板５と制御基板固定器７で構成されている。
【００１５】
そしてプリント配線板１に設けられた爪用切欠２と、爪用切欠２を利用し制御基板固定器７に設けられた制御基板５を支持する爪６とプリント配線板１に設けられたリブ用切欠１３と、リブ用切欠１３に挿入する制御基板固定器７に設けられたリブ１４とで制御基板５を制御基板固定器７に固定するものである。
【００１６】
そして制御基板固定器７に設けられたガスメータ取付け用ネジ穴８と、ガスメータ取付け用ネジ穴８に挿入するネジ９と、ガスメータ内に設けられたＬ型リブ１５で、制御基板５を制御基板固定器７に固定しガスメータ１０に設置するものである。
【００１７】
本参考実施例は、ガスメータ１０に制御基板５を固定した制御基板固定器７を組み込んだ状態で、プリント配線板１に設けられたリブ用切欠１３に挿入する制御基板固定器７にリブ１４を設けることで、ガスメータ１０の転倒・落下による衝撃で制御基板５にねじれが生じることを防止することができ、爪６の数を増加させず、制御基板５を制御基板固定器７に取り付ける際の作業性を悪化させることなく、制御基板５が制御基板固定器７から外れることを防止することができる。
【００１８】
（参考実施例２）
図３は参考実施例２を示し、参考実施例１と異なる点は、前記リブ用切欠１３を穴１７にしたところである。
【００１９】
なお、図３において、図１と同作用をするものには同一符号を付し、具体的な説明は参考実施例１のものを援用する。
【００２０】
これによれば、プリント配線板１に設ける穴１７を１ヶ所にでき、その実装面積を広くすることができる。
【００２１】
（参考実施例３）
図４は参考実施例３を示し、参考実施例１と異なる点は、爪６を制御基板５に引っ掛けて制御基板固定器７に固定するようにしたところである。
【００２２】
そして、爪６の１つ以上は、引っ掛け部分を半円状にし、制御基板５を前記爪６の半円部に押し当てることで固定する。
【００２３】
なお、図４において、図１と同作用をするものには同一符号を付し、具体的な説明は参考実施例１のものを援用する。
【００２４】
本参考実施例では、制御基板５を制御基板固定器７に固定しガスメータ１０に組込んだ状態で、転倒・落下による衝撃でねじれが生じ、制御基板固定器７より制御基板５が外れた場合、爪６が半円状であるので制御基板５が引っかかることがないため元に戻りやすくすることができる。
【００２５】
以上の参考実施例をふまえ以下本発明の実施例を図面を参照して説明する。
【００２６】
【実施例】
（実施例１）
すなわち、実施例１では、図２に示すように、リブ用切欠を凹部１６にしたところである。
【００２７】
なお、図２において、図１と同作用をするものには同一符号を付し、具体的な説明は参考実施例１のものを援用する。
【００２８】
このように、プリント配線板１に凹部１６を設けることで、同凹部１６を設けた面と対面する面は実装面積を広くすることができることとなる。
【００２９】
【発明の効果】
以上のように本発明のガス遮断装置によれば、制御基板が制御基板固定器から外れることを防ぐことができるため、確実に制御基板をガスメータに固定する機能を有し、且つプリント配線板の実装面積を広くして、ガス流量を正確に検出することができるところから、使用上の安全性を確保することができる。
【図面の簡単な説明】
【図１】  （ａ）本発明の参考実施例１におけるガス遮断装置の構成図
（ｂ）同装置のガス遮断装置とガスメータのガス遮断装置取付け部の上面図
（ｃ）同装置とガスメータとの関係を示す構成図
【図２】  本発明の実施例１におけるガス遮断装置の構成図
【図３】  本発明の参考実施例２におけるガス遮断装置の構成図
【図４】  本発明の参考実施例３におけるガス遮断装置の制御基板固定器爪部の断面図
【図５】  （ａ）従来のガス遮断装置の構成図
（ｂ）同装置の正面図
【図６】  （ａ）従来のガス遮断装置の上面図
（ｂ）同装置においてねじれにより制御基板が制御基板固定器から外れる時の状態を示した図
【図７】  従来のガス遮断装置において、制御基板が制御基板固定器より外れた時の状態を示した図
【符号の説明】
１  プリント配線板
２  爪用切欠
３  磁石
４  リードスイッチ
５  制御基板
６  爪
７  制御基板固定器
１０  ガスメータ
１１  流路
１２  遮断弁
１３  リブ用切欠
１４  リブ
１６  凹部
１７  穴
【図１】
0004161564.tif 000002
【図２】
0004161564.tif 000003
【図３】
0004161564.tif 000004
【図４】
0004161564.tif 000005
【図５】
0004161564.tif 000006
【図６】
0004161564.tif 000007
【図７】
0004161564.tif 000008